(57)【特許請求の範囲】
【請求項１】
野縁受けの下側に、リップ付溝形状を呈しその溝開口が上向きになるように配置された野縁を固定するための野縁固定クリップにおいて、
前記野縁に接続される野縁接続部と、この野縁接続部と一体形成され前記野縁受けに接続される野縁受け接続部とを備え、
前記野縁接続部は、前記野縁の溝開口幅よりも狭い幅狭板部の幅方向両端に前記野縁のリップ部を下方から支持する係止板部を設けてなる係止手段と、前記幅狭板部と一体且つ面一で前記野縁の幅と同等の幅広板部に前記野縁の側面部を覆う垂下り板部を設けてなるカバー手段とを備えている
ことを特徴とする野縁固定クリップ。
【請求項２】
前記係止手段が、前記野縁接続部の前記野縁受け接続部寄りの基端部に設けられ、前記カバー手段が、前記野縁接続部の先端部に設けられており、
前記垂下り板部は、前記係止手段側の垂下り長さが短くなるように下端縁部が傾斜している
ことを特徴とする請求項１に記載の野縁固定クリップ。
【請求項３】
前記垂下り板部には、貫通孔が形成されている
ことを特徴とする請求項１または請求項２に記載の野縁固定クリップ。
【請求項４】
前記野縁受け接続部は、前記野縁接続部から折れ曲がった立上り板部と、その立上り板部の上端から折曲し前記野縁受けを上方から囲う吊掛け板部とを備えてなり、
前記吊掛け板部の先端部には、折曲げ部が形成されており、この折曲げ部には、前記吊掛け板部の基端側に延びて前記立上り板部の面よりも突出するレバー板材が面一で形成されている
ことを特徴とする請求項１乃至請求項３のいずれか一項に記載の野縁固定クリップ。
【請求項５】
前記立上り板部の幅方向両側を、内側に凹んだ形状とし、前記立上り板部の下端部と上端部の間が、下端部および上端部よりも幅が狭くなるように構成した
ことを特徴とする請求項４に記載の野縁固定クリップ。
【請求項６】
前記折曲げ部の基端部は、前記吊掛け板部の基端部よりも幅が狭くなっている
ことを特徴とする請求項４または請求項５に記載の野縁固定クリップ。
【請求項７】
前記野縁受け接続部は、前記野縁接続部から折れ曲がった立上り板部と、その立上り板部の上端から折曲し前記野縁受けを上方から囲う吊掛け板部とを備えてなり、
前記吊掛け板部の先端部には、前記野縁受けの上端面の縁端部を押さえる凸部が設けられ、
前記立上り板部には、前記野縁受け側に傾斜するバネ板部が設けられている
ことを特徴とする請求項１乃至請求項３のいずれか一項に記載の野縁固定クリップ。
【発明の詳細な説明】
【技術分野】
【０００１】
本発明は、野縁固定クリップに関する。
【背景技術】
【０００２】
野縁受けの下側に、リップ付溝形状を呈しその溝開口が上向きになるように配置された野縁を固定するための野縁固定クリップは、例えば、特許文献１または２に示すような種々の形状のものが提案されていた。特許文献１のクリップは、竪板部の上端に形成された横板部が野縁受けの上面に当接してその先端部の折曲げ係止片を折り曲げることで野縁受けに固定され、一方、竪板部の下端部に形成された爪部が野縁の内側に挿入されてリップ部を下側から係止することで野縁を固定するようになっている。
【０００３】
特許文献２のクリップ（接合金具）は、図１０に示すように、下板１００と上板１０１とを備えており、さらにその上に接合金具用補強金具１１０が設けられて、野縁１３０を野縁受け１２０に固定する。下板１００は、野縁１３０の内側に挿入されてリップ１３１に下側から当接する。上板１０１は、野縁１３０のリップ１３１と野縁受け１２０の下辺フランジ１２１に上側から当接する。接合金具用補強金具１１０は断面溝型を呈し溝開口が下向きになるように配置され、野縁１３０の側辺フランジ１３２と上板１０１と下板１００を内側に囲むように上方から被せられる。そして、下板１００と上板１０１と接合金具用補強金具１１０は、ボルト１０３、ナット１０４によって上下方向に締め付けられる。これによって、上板１０１と下板１００で、野縁１３０のリップ１３１と野縁受け１２０の下辺フランジ１２１が上下から挟まれることで、野縁１３０が野縁受け１２０に固定される。また、下板１００および上板１０１と一体固定された接合金具用補強金具１１０が、野縁１３０の側辺フランジ１３２の外側を覆うことで、接合金具が回転することがなく、野縁１３０の支持性能が向上されている。
【先行技術文献】
【特許文献】
【０００４】
【特許文献１】特開２００７−２４７２１７号公報
【特許文献２】特開２００８−５０７８４号公報
【発明の概要】
【発明が解決しようとする課題】
【０００５】
前記した特許文献１のクリップは、取付施工性を高めるために横板部を容易に折り曲げられる構造となっているので、部材の厚さが薄く強度的に優れたものではなかった。また、野縁は係止片によって下側から係止されているだけであるので、野縁の支持性能に改善の余地があった。
【０００６】
一方、特許文献２の接合金具は、ボルト１０３、ナット１０４の締付けによって、野縁１３０と野縁受け１２０とを固定しているので、部材の厚さを厚くでき、高い強度を得ることができるが、野縁１３０と野縁受け１２０を固定するための板材や、野縁１３０の支持性能を高める金具が別部材になっているので、部品点数が多く、さらにこれら板材や金具を保持した状態でボルト１０３、ナット１０４での締付作業を行わなければならず、施工に多くの手間を要する問題があった。
【０００７】
このような観点から、本発明は、施工が容易で且つ高い支持性能で野縁を固定できる野縁固定クリップを提供することを課題とする。
【課題を解決するための手段】
【０００８】
前記課題を解決するための請求項１に係る発明は、野縁受けの下側に、リップ付溝形状を呈しその溝開口が上向きになるように配置された野縁を固定するための野縁固定クリップにおいて、前記野縁に接続される野縁接続部と、この野縁接続部と一体形成され前記野縁受けに接続される野縁受け接続部とを備え、前記野縁接続部は、前記野縁の溝開口幅よりも狭い幅狭板部の幅方向両端に前記野縁のリップ部を下方から支持する係止板部を設けてなる係止手段と、前記幅狭板部と一体且つ面一で前記野縁の幅と同等の幅広板部に前記野縁の側面部を覆う垂下り板部を設けてなるカバー手段とを備えていることを特徴とする野縁固定クリップである。
【０００９】
このような構成によれば、野縁接続部と野縁受け接続部が一体で形成されているので、部品点数が少なく、野縁への取付施工を容易に行える。また、係止手段とカバー手段が一体で形成されているので、一の部材で野縁のリップ部を下側から支持できるとともに野縁の側面部を押さえられるので、野縁の支持性能を向上させることができる。
【００１０】
そして、請求項２に係る発明は、前記係止手段が、前記野縁接続部の前記野縁受け接続部寄りの基端部に設けられ、前記カバー手段が、前記野縁接続部の先端部に設けられており、前記垂下り板部は、前記係止手段側の垂下り長さが短くなるように下端縁部が傾斜していることを特徴とする。
【００１１】
このような構成の野縁固定クリップを野縁に固定する際には、まず、係止手段が一番下になるようにカバー手段を上げて、係止手段の幅狭板部が野縁の幅方向と角度を持たせた斜めの状態で溝開口から挿入し、係止板部が野縁内にある状態で、幅狭板部が野縁の幅方向と同じ向きになるように回転させる。その後、カバー手段が上向きになっている野縁接続部を、水平にして野縁上に戻し、垂下り板部で野縁の側面部を覆うようにする。ここで、垂下り板部の下端縁部が傾斜しているので、野縁固定クリップを回転させるときに野縁に干渉せず、作業を行い易い。
【００１２】
また、請求項３に係る発明は、前記垂下り板部には、貫通孔が形成されていることを特徴とする。
【００１３】
このような構成によれば、この貫通孔にビスやネジを通して、垂下り板部を野縁の側面部に固定すれば、野縁の支持性能がより一層向上する。
【００１４】
さらに、請求項４に係る発明は、前記野縁受け接続部が、前記野縁接続部から折れ曲がった立上り板部と、その立上り板部の上端から折曲し前記野縁受けを上方から囲う吊掛け板部とを備えてなり、前記吊掛け板部の先端部には、折曲げ部が形成されており、この折曲げ部には、前記吊掛け板部の基端側に延びて前記立上り板部の面よりも突出するレバー板材が面一で形成されていることを特徴とする。
【００１５】
このような構成によれば、吊掛け板部を野縁受けの上に置いた状態で、てこの原理を利用してレバー板材を押しながら折曲げ部を折り曲げるが、レバー板材を設けたことによって、支点と力点間の距離を長くできるので、野縁固定クリップの板材の板厚が厚くても、特別な治具を用いることなく作業員の人力で容易に折り曲げることができる。そして、立上り板部と折曲げ部で野縁受けを挟むので、野縁固定クリップの野縁受けへの固定性能が向上する。さらに、野縁受けへ野縁固定クリップを取り付けると、レバー板材が起き上がった状態となるため、下方から天井下地材を見上げたときに、取付けされているか否かを容易に確認することができる。
【００１６】
また、請求項５に係る発明は、前記立上り板部の幅方向両側を、内側に凹んだ形状とし、前記立上り板部の下端部と上端部の間が、下端部および上端部よりも幅が狭くなるように構成したことを特徴とする。
【００１７】
このような構成によれば、立上り板部の下端部と上端部の間が、下端部および上端部よりも幅が狭くなっているので、係止板部が野縁内にある状態で、幅狭板部が野縁の幅方向と同じ向きになるように回転させる際に、立上り板部と野縁のリップ部が干渉し難くなり、回転がし易くなるので、さらに作業が容易になる。
【００１８】
また、請求項６に係る発明は、前記折曲げ部の基端部は、前記吊掛け板部の基端部よりも幅が狭くなっていることを特徴とする。
【００１９】
このような構成によれば、折曲げ部の折り曲げ長さを短くできるので、折曲げ部の折り曲げに要する力を小さくでき、折曲げ作業を容易に行うことができる。なお、この構成は、野縁の幅寸法が大きく、立上り板部と吊掛け板部の幅が広い場合に特に有効である。
【００２０】
また、請求項７に係る発明は、前記野縁受け接続部が、前記野縁接続部から折れ曲がった立上り板部と、その立上り板部の上端から折曲し前記野縁受けを上方から囲う吊掛け板部とを備えてなり、前記吊掛け板部の先端部には、前記野縁受けの上端面の縁端部を押さえる凸部が設けられ、前記立上り板部には、前記野縁受け側に傾斜するバネ板部が設けられていることを特徴とする。
【００２１】
このような構成によれば、野縁受けを吊掛け板部の下部に入り込ませると、野縁受けの一方面は凸部に係止され、他方面はバネ板部によって凸部側に付勢されるので、野縁受けは挟持されることになり、野縁固定クリップの野縁受けへの固定性能が向上する。
【発明の効果】
【００２２】
本発明に係る野縁固定クリップによれば、施工が容易で且つ高い支持性能で野縁を固定できるといった優れた効果を発揮する。
【図面の簡単な説明】
【００２３】
【図１】（ａ）および（ｂ）は、本発明の第一実施形態に係る野縁固定クリップを示した斜視図である。
【図２】本発明の第一実施形態に係る野縁固定クリップを示した図であって、（ａ）は平面図、（ｂ）は側面図、（ｃ）は正面図である。
【図３】（ａ）、（ｂ）および（ｃ）は、本発明の第一実施形態に係る野縁固定クリップの野縁への取付工程を示した斜視図である。
【図４】（ａ）および（ｂ）は、本発明の第一実施形態に係る野縁固定クリップの野縁受けへの取付工程を示した側面図である。
【図５】（ａ）および（ｂ）は、本発明の第二実施形態に係る野縁固定クリップを示した斜視図である。
【図６】本発明の第二実施形態に係る野縁固定クリップを示した図であって、（ａ）は平面図、（ｂ）は側面図、（ｃ）は正面図である。
【図７】（ａ）および（ｂ）は、本発明の第二実施形態に係る野縁固定クリップの野縁受けへの取付工程を示した側面図である。
【図８】（ａ）および（ｂ）は、本発明の第三実施形態に係る野縁固定クリップを示した斜視図である。
【図９】本発明の第三実施形態に係る野縁固定クリップの野縁への取付工程を示した斜視図である。
【図１０】従来の接合金具を示した斜視図である。
【発明を実施するための形態】
【００２４】
（第一実施形態）
本発明の第一実施形態に係る野縁固定クリップおよび野縁および野縁受けの取付手順について図面を参照しつつ詳細に説明する。なお、説明において同一要素には同一の符号を用い、重複する説明は省略する。
【００２５】
図１および図２に示すように、本実施形態に係る野縁固定クリップ１は、野縁受け８０の下側に、野縁９０を固定するためのものである。野縁受け８０と野縁９０は、単数しか図示していないが、それぞれ複数本ずつ並列されており、平面視で互いに直交して格子状になるように配置されている。
【００２６】
図１に示すように、野縁受け８０は、断面コ字状を呈する溝形鋼にて構成されており、溝開口が横向きになるように配置されている。野縁受け８０は、垂直配置されるウエブ８１と、水平配置される下フランジ８２と上フランジ８３が一体形成されて構成されている。野縁９０は、リップ付溝形鋼にて構成されており、その溝開口が上向きになるように配置されている。野縁９０は、底面部９１と一対の側面部９２，９２と一対のリップ部９３，９３が一体形成されて構成されている。リップ部９３は、側面部９２から幅方向内側に入り込み、その先端部が底面部９１側に折れ曲がって垂れ下がっている。野縁受け８０および野縁９０の寸法は、ＪＩＳ規格に準じており、天井の大きさ、重量等の各種条件に応じて、適宜選択される。
【００２７】
図１および図２に示すように、野縁固定クリップ１は、野縁接続部１０と野縁受け接続部５０とを備えている。野縁接続部１０と野縁受け接続部５０は、一枚の金属板からなり、切断、折曲げ、打抜き等の各種加工を施すことで一体形成されている。野縁接続部１０は、野縁９０に接続される部分であって、係止手段１１とカバー手段３１とを備えている。係止手段１１は、野縁受け接続部５０寄りである野縁接続部１０の基端部に設けられ、カバー手段３１は、野縁接続部１０の先端部に設けられている。
【００２８】
係止手段１１は、リップ部９３を下側から係止する部位である。係止手段１１は、野縁９０の溝開口幅Ｓ１よりも狭い幅寸法Ｗ１を備える幅狭板部１２の幅方向両端に、野縁９０のリップ部９３を下方から支持する係止板部１３をそれぞれ設けてなる。係止板部１３は、野縁９０の内側に挿入される。係止板部１３は、幅狭板部１２の両端から下方に延在する垂下部１３ａと、その下端から幅方向外側に広がって上方に向く折返し部１３ｂとを備えている。この折返し部１３ｂの先端部が、リップ部９３の内側に入り込む（図２の（ｃ）参照）。折返し部１３ｂの先端部は傾斜して先細り形状となっている。なお、本実施形態では、折返し部１３ｂの先端が上方を向いているが、これに限定する趣旨ではなく、幅方向外側に広がるだけの形状であってもよい。
【００２９】
カバー手段３１は、野縁９０の上側から被され、野縁９０の側面部９２，９２を外側から覆う部位である。カバー手段３１は、幅狭板部１２と一体且つ面一で野縁９０の幅Ｓ２と同等の幅寸法Ｗ２を有する幅広板部３２に、垂下り板部３３を設けてなる。垂下り板部３３は、幅広板部３２の幅方向両端で、取り付けられる野縁９０の長手方向と平行になるように設けられている。垂下り板部３３は、幅広板部３２に対して略直角に折り曲げられている。垂下り板部３３は、係止手段１１側（基端側）の垂下り長さが短くなるように下端縁部が傾斜している。これは、野縁固定クリップ１の野縁９０への取付施工性を高めるためである。取付施工については後述する。垂下り板部３３の下端縁部の傾斜面と、係止板部１３の折返し部１３ｂの先端部の傾斜面は、略平行となっている。なお、平行に近い状態であれば平行でなくてもよい。垂下り板部３３の下端縁部を延長した線と、係止板部１３の折返し部１３ｂの先端部の傾斜面を延長した線との距離Ｓ３（図２の（ｂ）参照）は、野縁９０のリップ部９３の高さよりも若干大きい寸法となっている。
【００３０】
垂下り板部３３には、貫通孔３４が形成されている。この貫通孔３４は、ネジなどの固定部材を挿通させるためのもので、垂下り板部３３側から野縁９０の側面部９２に固定部材を打ち込んで、野縁９０を野縁固定クリップ１に固定させる場合に用いる。
【００３１】
野縁受け接続部５０は、野縁接続部１０から折れ曲がった立上り板部５１と、その立上り板部５１の上端から折れ曲がり野縁受け８０を上方から囲う吊掛け板部６１とを備えている。
【００３２】
立上り板部５１は、幅狭板部１２から連続して直角に折れ曲がっており、使用時に垂直になる。立上り板部５１は、強度向上のために上部側が幅広に形成されている。上部の幅は、野縁受け８０のサイズ、野縁９０の重量や野縁固定クリップ１の取付ピッチに応じて適宜選択される。立上り板部５１には、貫通孔５２が形成されている。この貫通孔５２は、ネジなどの固定部材を挿通させるためのもので、立上り板部５１側から野縁受け８０のウエブ８１に固定部材を打ち込んで、野縁固定クリップ１を野縁受け８０に固定させる場合に用いる。立上り板部５１の上端部は幅方向中央に切欠き部５３が形成されて、二股状になって吊掛け板部６１に繋がっている。切欠き部５３は、後記するレバー板材６３を形成するために切断された部分である。
【００３３】
吊掛け板部６１は、立上り板部５１から連続して直角に折れ曲がっており、使用時に水平になる。吊掛け板部６１は、野縁接続部１０とは逆側に折れ曲がっている。吊掛け板部６１の基端部は、立上り板部５１の上端部と繋がって二股状を呈している。吊掛け板部６１の先端部には、折曲げ部６２が形成されている。折曲げ部６２は、二股部分の先端を繋ぐように形成されている。折曲げ部６２は、野縁受け８０をセットした後に、垂直に折り曲げられ、立上り板部５１と合わせて、野縁受け８０を水平方向両側から挟みこむための部位である。この折曲げ部６２には、レバー板材６３が一体に設けられている。レバー板材６３は、折曲げ部６２を折り曲げるときに手で把持して押し上げる部位である。レバー板材６３は、吊掛け板部６１の基端部の二股部分の間に配置されている。レバー板材６３は、吊掛け板部６１の基端側に延びて立上り板部５１の面よりも折曲げ部６２の逆側に突出している。レバー板材６３の表面は、折曲げ部６２の表面と面一になっている。レバー板材６３には、上側に膨らんだ補強リブ６４が形成されている。補強リブ６４は、レバー板材６３の先端部近傍から折曲げ部６２まで延在して形成されている。
【００３４】
折曲げ部６２には、貫通孔６７が形成されている。この貫通孔６７は、ネジなどの固定部材を挿通させるためのもので、野縁受け８０に固定部材を打ち込んで、野縁受け８０を野縁固定クリップ１に固定させる場合に用いる。なお、本実施形態の野縁受け８０は断面コ字状であって、折曲げ部６２は開口部分に位置するので、貫通孔６７は使用しないが、角パイプ状の野縁受けの場合に、貫通孔６７を使用する場合がある。
【００３５】
吊掛け板部６１の折曲げラインとなる、折曲げ部６２の基端部（野縁受け８０の上フランジ８３の端部位置の近傍）には、折曲げガイド溝６５が形成されている。折曲げガイド溝６５は、吊掛け板部６１の上面に断面Ｖ字形状または断面Ｕ字形状を呈して形成されている。
【００３６】
次に、図３を参照しながら、このような構成の野縁固定クリップ１の野縁接続部１０に野縁９０を固定する際の施工手順を説明する。
【００３７】
まず、図３の（ａ）に示すように、係止手段１１が下側になるようにカバー手段３１を斜め上方に上げて、幅狭板部１２と立上り板部５１がＶ字状になるようにする。そして、係止板部１３が野縁９０のリップ部９３に干渉しないように、係止手段１１の幅狭板部１２の幅方向を野縁９０の幅方向と交差させて、野縁固定クリップ１を野縁９０上に位置させる。本実施形態では、９０度回転させて、係止板部１３が、野縁９０の長手方向に沿って広がる位置としているが、９０度に限定されるものではなく、係止板部１３がリップ部９３に干渉しなければ、角度は問わない。その状態で、野縁固定クリップ１を下ろして、係止板部１３を野縁８０の内側に挿入させる。
【００３８】
その後、図３の（ｂ）に示すように、カバー手段３１が野縁９０の上部に位置するように、野縁固定クリップ１を回転させる。これによって、係止板部１３の先端の折返し部１３ｂは、リップ部９３の下側に入り込む。このとき、垂下り板部３３の下端縁部が傾斜しているので、野縁９０のリップ部９３の上端と干渉しにくいので、回転を円滑に行うことができる。また、係止板部１３の折返し部１３ｂの先端部が傾斜して先細り形状となっているので、係止板部１３がリップ部９３の下端に干渉しにくくなる。さらに、垂下り板部３３の下端縁部を延長した線と、係止板部１３の折返し部１３ｂの先端部の傾斜面を延長した線との距離Ｓ３（図２の（ｂ）参照）が、リップ部９３の高さよりも若干大きい寸法となっているので、その間をリップ部９３が通過でき、野縁固定クリップ１を確実に回転させることができる。
【００３９】
そして、図３の（ｃ）に示すように、立上り板部５１が野縁９０に対して直角になるように起こす。すると、カバー手段３１が、野縁９０に接地して、垂下り板部３３が野縁９０の側面部９２，９２を外側から覆う。以上で、野縁固定クリップ１の野縁９０への装着が完了する。
【００４０】
ここで、垂下り板部３３が、野縁９０の側面部９２，９２を外側から覆うので、野縁固定クリップ１と野縁９０が互いに回転しなくなる。これによって、係止板部１３の先端が、リップ部９３の下側からずれることがなく、確実に野縁９０を支持することができるので、野縁９０の支持性能が大幅に向上することとなる。また、野縁９０は、係止手段１１とカバー手段３１との複数個所で接触することとなるので、安定した状態で支持される。
【００４１】
なお、この状態でも、野縁固定クリップ１による野縁９０の支持性能は高いが、垂下り板部３３の貫通孔３４を利用して、野縁９０をネジ固定すれば、さらに、支持性能を向上させることができる。ネジ固定は、天井ブレースの連結部の近傍など多くの力がかかる位置で行えば、地震力を天井ブレースに伝達でき、天井材のズレを抑制できる。また、壁の近傍となる天井周縁部で、前記のネジ固定を行えば、天井材のズレを抑制でき、天井材が壁面に衝突、干渉するのを抑制できる。
【００４２】
次に、図４を参照しながら、野縁受け接続部５０に野縁受け８０を固定する際の施工手順を説明する。
【００４３】
まず、図４の（ａ）に示すように、野縁受け８０のウエブ８１に立上り板部５１が当接するように、野縁固定クリップ１および野縁９０を移動させる。このとき、野縁受け８０の下フランジ８２は下端が野縁８０の上面に当接し、上フランジ８３は吊掛け板部６１の下面に当接している。そして、作業者は、レバー板材６３の先端部を持って、上フランジ８３の先端部（図４の（ａ）中、右端部）を支点として、円弧状に持ち上げる。
【００４４】
すると、図４の（ｂ）に示すように、これによって、レバー板材６３と一体的に回動する折曲げ部６２が折り曲げられ、野縁受け８０は、立上り板部５１と折曲げ部６２で挟まれて固定される。ここで野縁固定クリップ１の野縁受け８０への固定が完了する。折曲げ部６２は、上フランジ８３の先端部を中心に下方に折り曲げられる。つまり、吊掛け板部６１を野縁受け８０の上に置いた状態で、てこの原理を利用して折曲げ部６２を折り曲げているが、レバー板材６３を設けたことによって、支点と力点間の距離を長くできる。これによって、野縁固定クリップ１の板材の板厚が厚くても、特別な治具を用いることなく作業員の人力で容易に折り曲げることができる。また、レバー板材６３には、補強リブ６４が形成されているので、強い応力に対応できる。さらに、ガイド溝６５を形成しているので、折曲げ位置が定まりやすく折曲げ部６２をきれいに折り曲げることができる。
【００４５】
野縁受け８０は、立上り板部５１と折曲げ部６２で挟まれるので、野縁固定クリップ１の野縁受け８０への固定性能が向上する。また、野縁受け８０は、吊掛け板部６１と野縁９０にも挟まれるので、野縁固定クリップ１の野縁受け８０への固定性能がさらに向上する。さらに、野縁受け８０へ野縁固定クリップ１を取り付けると、レバー板材６３が起き上がった状態となる。そのため、下方から天井下地材を見上げたとき、或いは足場から天井下地材を見たときに、取付け作業が完了しているか否かを目視によって容易に確認することができる。
【００４６】
以上説明したように、本実施形態の野縁固定クリップ１によれば、野縁接続部１０と野縁受け接続部５０が一体で形成されているので、部品点数が少なく、野縁９０や野縁受け８０への取付施工を容易に行える。具体的には、係止板部１３を野縁９０の内側に挿入して、野縁固定クリップ１を回転させて、起き上がらせるだけで、野縁接続部１０に野縁９０を簡単に固定できる。また、係止手段１１とカバー手段３１が一体で形成されているので、一の部材で野縁９０のリップ部９３を下側から支持できるとともに野縁９０の側面部９２を押さえられるので、野縁固定クリップ１が回転するのを防止でき、野縁９０の支持性能を向上させることができる。
【００４７】
また、垂下り板部３３の下端縁部を傾斜させたことによって、野縁固定クリップ１を回転させるときに野縁９０に干渉せず、作業を行い易い。さらに、必要以上に垂下り板部３３を小さくしていないので、カバー手段３１の強度を確保できている。
【００４８】
さらに、かかる野縁固定クリップ１は、野縁受け８０に固定するときは、野縁９０に係止させた状態で水平移動して、立上り板部５１と野縁受け８０を当接させて折曲げ部６２を折り曲げればよいので、新設の天井、既設の天井のいずれにも対応することができる。
【００４９】
（第二実施形態）
本発明の第二実施形態に係る野縁固定クリップについて図面を参照しつつ詳細に説明する。第二実施形態に係る野縁固定クリップ１は、野縁受け接続部５０’の構造が、第一実施形態と異なる。なお、野縁接続部１０の構成は、第一実施形態と同様であるので、同一の符号を付して説明を省略する。
【００５０】
図５および図６に示すように、野縁受け接続部５０’は、野縁接続部１０から折れ曲がった立上り板部５１’と、その立上り板部５１’の上端から折れ曲がり野縁受け８０を上方から囲う吊掛け板部６１’とを備えている。
【００５１】
立上り板部５１’は、幅狭板部１２から連続して直角に折れ曲がっており、使用時に垂直になる。立上り板部５１’は、上部側が幅広に形成されている。上部の幅は、野縁受け８０のサイズ、野縁９０の重量や野縁固定クリップ１の取付ピッチに応じて適宜選択される。立上り板部５１’には、第一実施形態と同様の貫通孔５２が形成されている。立上り板部５１’の上部には、Ｕ字状の開口部５４が形成されており、その内側に板材が残されている。この板材は、野縁受け８０の配置側に向けて先端部が突出するように折り曲げられてバネ板部５５が形成されている。つまり、野縁受け８０を設置したときに、野縁受け８０のウエブ８１によってバネ板部５５を立上り板部５１’側に押し戻すが、この状態で、バネ板部５５は、復元力によって野縁受け８０のウエブ８１を弾性的に付勢する。
【００５２】
吊掛け板部６１’は、立上り板部５１’から連続して直角に折れ曲がっており、使用時に水平になる。吊掛け板部６１’は、野縁接続部１０とは逆側に折れ曲がっている。吊掛け板部６１の幅方向両端には、切欠き部６８がそれぞれ形成されている。切欠き部６８は平面視矩形形状を呈している。各切欠き部６８は、吊掛け板部６１’の基端部から、野縁受け８０の上フランジ８３の幅寸法と略同等の寸法分、離れた位置にそれぞれ形成されている。
【００５３】
切欠き部６８の先端側の板材は、折り曲げられている。具体的には、切欠き部６８の奥の角部から吊掛け板部６１’の先端の角部を結んだ直線が折曲げラインとなるように、下方に向けて板材を折り曲げている。折曲げ部６９は、側方から見て、下端面が立上り板部５１’に向かうに連れて徐々に低くなっている。この折曲げ部６９が、吊掛け板部６１’から下方に突出しており、野縁受け８０の上端面の縁端部（上フランジ８３の先端面）を押さえる凸部を構成する。折曲げ部６９の周縁部うち、切欠き部６８の切断面部分が上フランジ８３の先端面に当接することで、野縁受け８０を押さえる。
【００５４】
次に、図７を参照しながら、野縁受け接続部５０’に野縁受け８０を固定する際の施工手順を説明する。
【００５５】
まず、図７の（ａ）に示すように、野縁受け８０のウエブ８１に立上り板部５１’が近づくように、野縁固定クリップ１および野縁９０を移動させる。このとき、まず、最初に、吊掛け板部６１’の先端部が野縁受け８０の上フランジ８３の基端面に当接するが、さらに、野縁固定クリップ１を押し込む。すると、折曲げ部６９の下端面が傾斜しているので、吊掛け板部６１’が、野縁受け８０の上フランジ８３によって徐々に押し上げられ、弾性的に反りあがる。
【００５６】
そして、図７の（ｂ）に示すように、折曲げ部６９（凸部）が、上フランジ８３を通過すると、反りあがっていた吊掛け板部６１’が元の形状に戻り、折曲げ部６９の周縁部が野縁受け８０の上フランジ８３の先端面を押さえる。以上で、野縁固定クリップ１の野縁受け８０への固定が完了する。このとき、ウエブ８１は、立上り板部５１’に当接しており、バネ板部５５が立上り板部５１’側に押し戻されている。したがって、野縁受け８０は、バネ板部５５の復元力によって折曲げ部６９側に弾性的に付勢されているので、折曲げ部６９（凸部）とバネ板部５５によって挟まれ固定される。
【００５７】
本実施形態に係る野縁固定クリップ１によれば、第一実施形態と略同様の作用効果を得られる。特に、野縁受け接続部５０’によれば、野縁固定クリップ１を水平移動させるだけで、野縁受け８０に固定できるので、さらに施工が容易になる。
【００５８】
（第三実施形態）
本発明の第三実施形態に係る野縁固定クリップについて図面を参照しつつ詳細に説明する。第三実施形態に係る野縁固定クリップ１は、野縁受け接続部５０”の構造が、第一実施形態と異なる。第三実施形態では、野縁９０が幅広の場合を例に挙げて説明する。なお、野縁接続部１０の構成は、幅が広い以外は第一実施形態と同様であるので、同一の符号を付して説明を省略する。
【００５９】
図８に示すように、野縁受け接続部５０”は、野縁接続部１０から折れ曲がった立上り板部５１”と、その立上り板部５１”の上端から折れ曲がり野縁受け８０を上方から囲う吊掛け板部６１”とを備えている。野縁受け接続部５０”も、野縁接続部１０と同様に野縁９０の幅に応じて第一実施形態より広く形成されている。
【００６０】
立上り板部５１”は、幅狭板部１２から連続して直角に折れ曲がっており、使用時に垂直になる。立上り板部５１”は、幅方向両側が、内側に凹んだ形状となっており、立上り板部５１”の下端部と上端部の間が、下端部および上端部よりも幅が狭くなるように構成されている。つまり、立上り板部５１”は、下端部から上方に向かうに連れて、一旦幅が狭くなり、その幅狭部から上端部に向かって幅が広くなっている。立上り板部５１”の幅方向両側は、山型に切り込まれている。立上り板部５１”の幅方向両側で最も切り込み量が多い部分（以下、「幅狭部５６」と言う場合がある）は、野縁固定クリップ１を野縁９０に固定する工程において、係止板部が野縁内にある状態で幅狭板部が野縁の幅方向と同じ向きになるように回転させる際に、立上り板部５１”が野縁９０のリップ部９３に接近する部分（当接しやすい部分）である。立上り板部５１”の上端部は、下端部と同等の幅寸法となっている。
【００６１】
吊掛け板部６１”は、立上り板部５１”から連続して直角に折れ曲がっており、使用時に水平になる。吊掛け板部６１”は、第一実施形態と同様に、基端部が立上り板部５１の上端部と繋がって二股状を呈しており、その先端部には、折曲げ部６２が形成されている。折曲げ部６２は、二股部分の先端を繋ぐように形成されている。吊掛け板部６１”の基端部は、立上り板部５１”の上端部と同等の幅寸法となっており、折曲げ部６２に向かうに連れて幅が狭くなっている。これによって、吊掛け板部６１の折曲げライン（折曲げ部６２の基端部の幅）が短くなっている。
【００６２】
なお、野縁接続部１０の幅狭板部１２と幅広板部３２や、野縁受け接続部５０”の立上り板部５１”に、補強リブ２０（野縁接続部１０にのみ図示）を形成してもよい。補強リブ２０は、野縁接続部１０の幅狭板部１２から幅広板部３２に延在して形成されている。野縁受け接続部５０”の立上り板部５１”に補強リブを形成する場合は、幅狭部５６を通過するように形成するのが好ましい。
【００６３】
第三実施形態に係る野縁固定クリップ１によれば、立上り板部５１”に幅狭部５６を形成したことによって、図９に示すように、係止板部１３が野縁９０内にある状態で、野縁固定クリップ１を回転させる際に、立上り板部５１”と野縁９０のリップ部９３が干渉し難くなり、回転がし易くなるので、作業が容易になる。
【００６４】
また、折曲げ部６２の基端部を、吊掛け板部６１”の基端部よりも幅を狭くしたことによって、折曲げ部６２の折り曲げ長さを短くできるので、折曲げ部６２の折り曲げに要する力を小さくでき、折曲げ作業を容易に行うことができる。
【００６５】
以上、本発明を実施するための形態についてそれぞれ説明したが、本発明は前記の実施形態に限定されず、本発明の趣旨を逸脱しない範囲で、材質、形状や大きさなど適宜変更が可能である。例えば、前記実施形態では、係止手段１１が野縁接続部１０の基端部に設けられ、カバー手段３１が野縁接続部の先端部に設けられているが、逆に配置してもよい。
【符号の説明】
【００６６】
１      野縁固定クリップ
１０    野縁接続部
１１    係止手段
１２    幅狭板部
１３    係止板部
３１    カバー手段
３２    幅広板部
３３    垂下り板部
３４    貫通孔
５０    野縁受け接続部
５１    立上り板部
６１    吊掛け板部
６２    折曲げ部
６３    レバー板材
８０    野縁
９０    野縁
９２    側面部
９３    リップ部
５０’  野縁受け接続部
５１’  立上り板部
５５    バネ板部
６１’  吊掛け板部
６９    折曲げ部（凸部）
５０”  野縁受け接続部
５１”  立上り板部
６１”  吊掛け板部
【図１】
0005650009.tif 000002
【図２】
0005650009.tif 000003
【図３】
0005650009.tif 000004
【図４】
0005650009.tif 000005
【図５】
0005650009.tif 000006
【図６】
0005650009.tif 000007
【図７】
0005650009.tif 000008
【図８】
0005650009.tif 000009
【図９】
0005650009.tif 000010
【図１０】
0005650009.tif 000011